(57)【要約】【課題】  ４サイクルエンジンの各気筒間の吸入空気量のばらつきを精度良く検出することを課題とする。【解決手段】  吸気行程以外の行程における所定のタイミング（例えば圧縮行程における所定のクランク角度期間または所定の吸気バルブ閉弁期間：ＡＢＤＣ９０〜１００°ＣＡ間）での吸気ポート圧力の微少時間の上昇量（吸気ポート圧力の変化率：ΔＰ）は、微少時間のスロットル通過空気量（空気量変化率：ΔＶ）によるものであり、ΔＶ∝ΔＰとなる。これにより、各気筒毎の、吸気ポート圧力の変化率ΔＰを各気筒の吸気行程以外の行程における所定のタイミング（例えば圧縮行程における所定のクランク角度期間または所定の吸気バルブ閉弁期間：ＡＢＤＣ９０〜１００°ＣＡ間）で比較することで、４サイクルエンジンの気筒間の吸入空気量ばらつきを検出することができる。【選択図】  図３
2008231918.tif 000002
【特許請求の範囲】
【請求項１】
（ａ）４サイクルエンジンの各気筒毎に独立して接続された複数の吸気通路と、
（ｂ）前記各気筒の吸気通路毎に開閉自在に収容された複数の吸気制御バルブと、
（ｃ）これらの吸気制御バルブの各々よりも吸気流方向の下流側における前記各気筒の吸気通路毎の吸気圧力を検出する吸気圧力検出手段と、
（ｄ）前記各気筒の吸気通路毎の、吸気圧力の変化率を検出する圧力変化率検出手段と、
（ｅ）前記各気筒の吸気行程以外の行程における所定のタイミングで、前記各気筒の吸気通路毎の、吸気圧力の変化率を比較して、各気筒間の吸入空気量のばらつきを検出する気筒間吸入空気量ばらつき検出手段と
を備えた多気筒内燃機関の制御装置。
【請求項２】
請求項１に記載の多気筒内燃機関の制御装置において、
前記複数の吸気制御バルブとは、前記４サイクルエンジンの各気筒毎に吸入される吸入空気量を独立して制御することが可能な複数のスロットルバルブのことであることを特徴とする多気筒内燃機関の制御装置。
【請求項３】
請求項２に記載の多気筒内燃機関の制御装置において、
前記複数のスロットルバルブのバルブ開度に相当するスロットル開度が所定のスロットル開度以下の時に、前記各気筒の吸気通路毎の、吸気圧力の変化率に基づいて、各気筒の１サイクル毎の吸入空気量を検出する気筒毎吸入空気量検出手段を備えたことを特徴とする多気筒内燃機関の制御装置。
【請求項４】
請求項１ないし請求項３のうちのいずれか１つに記載の多気筒内燃機関の制御装置において、
前記吸気圧力検出手段は、前記各気筒の吸気制御バルブよりも吸気流方向の下流側における前記各気筒の吸気通路毎に設置された複数の吸気圧センサを有していることを特徴とする多気筒内燃機関の制御装置。
【請求項５】
請求項１ないし請求項４のうちのいずれか１つに記載の多気筒内燃機関の制御装置において、
前記各気筒の吸気行程以外の行程における所定のタイミングとは、
前記各気筒の吸気行程以外の行程における所定のクランク角度期間または所定の吸気バルブ閉弁期間のことであることを特徴とする多気筒内燃機関の制御装置。
【発明の詳細な説明】
【技術分野】
【０００１】
本発明は、４サイクルエンジンの各気筒間の吸入空気量のばらつきを検出する多気筒内燃機関の制御装置に関するもので、特に多気筒４サイクルエンジンの吸入空気量検出装置（多気筒内燃機関の吸入空気量検出装置）に係わる。
【背景技術】
【０００２】
［従来の技術］
従来より、４サイクルエンジンの各気筒毎にそれぞれ対応して設置された複数のスロットルバルブによって、各気筒の吸気通路毎を流れる吸入空気量を独立して制御する所謂独立スロットルバルブを備えた４サイクルエンジン（オットーサイクルエンジンも含む）が公知である。
このような独立スロットルバルブを備えた４サイクルエンジンでは、各スロットルバルブよりも吸気流方向の下流側における吸気通路の内容積を減少させることができることから、スロットルバルブのバルブ開度制御に対する吸入空気量の応答性を向上させることが可能となり、また、ポンピングロスを低減できるので燃費を向上させることが可能となる。
【０００３】
しかるに、独立スロットルバルブを備えた４サイクルエンジンでは、吸気管または独立スロットルバルブの製造誤差や、独立スロットルバルブの組み付け誤差などのために、４サイクルエンジンの各気筒間において吸入空気量がばらつく恐れがあり、特に独立スロットルバルブの開度が小さい時においてはこの吸入空気量のばらつきによって発生トルクの変動が顕著になり得る。
そこで、４サイクルエンジンの各気筒間の吸入空気量のばらつきを防ぐという目的で、各スロットルバルブよりも吸気流方向の下流側において、各気筒の吸気通路を連通させるバランス通路を備えた４サイクルエンジンが知られている（例えば、特許文献１参照）。  
【０００４】
［従来の技術の不具合］
ところが、特許文献１の４サイクルエンジンは、バランス通路を通じて各気筒毎の独立スロットルバルブよりも下流側の内容積が繋がるため、独立スロットルバルブの応答性向上および燃費向上のメリットが減少してしまうという不具合があった。
この不具合を防止するため、４サイクルエンジンの各気筒間の吸入空気量のばらつきを、独立スロットルバルブ毎の独立アクチュエータで補正することを狙った４サイクルエンジンが提案されている（例えば、特許文献２参照）。
【０００５】
この特許文献２に記載の４サイクルエンジンは、各気筒のアイドリング回転速度で吸入空気量のばらつきを検知し、各気筒のアイドリング回転速度を等しくするように複数のスロットルバルブの開度を調整するものであるが、各気筒のアイドリング回転速度は、吸入空気量だけではなく、点火時期の制御、燃焼そのものの変動等によって定まるものであり、吸入空気量を等しくしているとは言えないため、この補正値をアイドリング以外のエンジン運転条件に適用できるとは言えない。
また、予めメモリされたばらつき補正量データにより各気筒毎に開度補正する４サイクルエンジンが公知である（例えば、特許文献３参照）。ところが、この特許文献３に記載の４サイクルエンジンでは、吸気管または独立スロットルバルブの製造誤差や、独立スロットルバルブの組み付け誤差などを補正するために、開度−流量のマッピング等の適合を全数行う必要があり、コストアップが著しいという問題があった。
【０００６】
ここで、４サイクルエンジンの各気筒毎の吸入空気量を検出する技術として、４サイクルエンジンの各吸気ポート毎に吸入空気量センサ（エアフローメータ）を設定した多気筒４サイクルエンジンが提案されている（例えば、特許文献４参照）。ところが、この特許文献４には、『エアフローメータの代わりに圧力センサを配置し、圧力センサの出力値に基づいて各気筒内に流入する吸入空気量を算出することも可能である。』という記載があるが、圧力センサを用いた各気筒毎の吸入空気量の算出方法の詳細については何も述べられていない。
【特許文献１】特開平０５−０７９３５９号公報（第１−５頁、図１−図４）
【特許文献２】特開２００３−１９３８８９号公報（第１−４頁、図１−図５）
【特許文献３】特開２００５−２５６６４５号公報（第１−１９頁、図１−図７）
【特許文献４】特開２００２−１５５７７９号公報（第１−５頁、図６）
【発明の開示】
【発明が解決しようとする課題】
【０００７】
本発明の目的は、４サイクルエンジンの各気筒間の吸入空気量のばらつきを精度良く検出することのできる多気筒内燃機関の制御装置を提供することにある。また、スロットル開度が所定のバルブ開度以下の時に、気筒毎の吸入空気量を精度良く検出することのできる多気筒内燃機関の制御装置を提供することにある。
【課題を解決するための手段】
【０００８】
請求項１に記載の発明によれば、複数の気筒を有し、各気筒の吸気通路毎にそれぞれ吸気制御バルブを備えた４サイクルエンジン（多気筒内燃機関）において、複数の吸気制御バルブの各々よりも吸気流方向の下流側における各気筒の吸気通路毎の吸気圧力を検出する（吸気圧力検出手段）。
次に、各気筒の吸気通路毎の、吸気圧力の変化率（単位時間当たりの吸気圧力の変化量）を検出する（圧力変化率検出手段）。
次に、各気筒の吸気行程以外の行程における所定のタイミングで、各気筒の吸気通路毎の、吸気圧力の変化率を比較し、この比較結果に基づいて、各気筒間の吸入空気量のばらつきを検出する（気筒間吸入空気量ばらつき検出手段）。
したがって、４サイクルエンジン（多気筒内燃機関）の各気筒間の吸入空気量のばらつきを、各気筒の吸気制御バルブ下流の圧力変化率に基づいて検出することで、各気筒間の吸入空気量自体のばらつきを正確に精度良く検知（検出）することができる。
【０００９】
請求項２に記載の発明によれば、複数の吸気制御バルブとして、４サイクルエンジンの各気筒毎に吸入される吸入空気量を独立して制御することが可能な複数のスロットルバルブを用いることが望ましい。
請求項３に記載の発明によれば、複数のスロットルバルブのバルブ開度（バルブ角度）に相当するスロットル開度が所定のバルブ開度以下の時に、各気筒の吸気通路毎の、吸気圧力の変化率に基づいて、各気筒の１サイクル毎の吸入空気量を検出する（気筒毎吸入空気量検出手段）。
したがって、各気筒のスロットルバルブのスロットル開度が所定のバルブ開度以下の場合には、各気筒の吸気行程以外の行程で検出した各気筒の吸気通路毎の、吸気圧力の変化率から、４サイクルエンジンの各気筒の１サイクル毎の吸入空気量を求めることができる。
【００１０】
請求項４に記載の発明によれば、吸気圧力検出手段を、各気筒の吸気制御バルブよりも吸気流方向の下流側における各気筒の吸気通路毎に設置された複数の吸気圧センサによって構成しても良い。
請求項５に記載の発明によれば、各気筒の吸気行程以外の行程における所定のタイミングとは、各気筒の吸気行程以外の行程における所定のクランク角度期間または所定の吸気バルブ閉弁期間のことである。また、各気筒の吸気行程以外の行程とは、各気筒の圧縮行程、膨張行程、排気行程のうちのいずれかの行程、あるいは各気筒の圧縮行程から膨張行程に移行する期間または各気筒の膨張行程から排気行程に移行する期間のことである。
【発明を実施するための最良の形態】
【００１１】
本発明を実施するための最良の形態は、各気筒間の吸入空気量のばらつきを精度良く検出するという目的を、各気筒の吸気行程以外の行程における所定のタイミングで、各気筒の吸気通路毎の、吸気圧力の変化率を比較することで実現した。
【実施例１】
【００１２】
［実施例１の構成］
図１ないし図３は本発明の実施例１を示したもので、図１は内燃機関の吸気制御装置を示した図で、図２は多気筒内燃機関の制御装置（エンジン制御システム）を示した図である。
【００１３】
本実施例の多気筒内燃機関の制御装置（エンジン制御システム）は、複数の気筒（第１〜第４気筒＃１〜＃４）を有する多気筒内燃機関（例えば４気筒４サイクルガソリンエンジン：以下エンジンと言う）の各気筒毎に吸入される吸入空気を制御する内燃機関の吸気制御装置として使用されるものである。
この内燃機関の吸気制御装置は、インテークマニホールド１またはエンジン本体（シリンダヘッド２、シリンダブロック３）に形成される複数の吸気通路毎に設置された複数の吸気量制御バルブ（複数のスロットルバルブ、各気筒毎のスロットルバルブ：以下第１〜第４スロットルと呼ぶ）４と、これらの第１〜第４スロットル４を各々独立して駆動する複数の電動モータ（以下第１〜第４モータと呼ぶ）５と、複数の第１〜第４スロットル４のバルブ角度に相当するスロットル開度（複数の第１〜第４モータ５への供給電力）を、点火装置、燃料噴射装置等の各システムと関連して制御するエンジン制御ユニット（エンジン制御装置：以下ＥＣＵと呼ぶ）６とを備えている。
【００１４】
また、本実施例のエンジンの吸気管には、エンジンの各気筒（全気筒）の燃焼室内に供給される吸入空気の流量（吸入空気量）を電気信号に変換してＥＣＵ６に出力するエアフローメータ７、エンジンの各気筒（全気筒）の燃焼室内に供給される吸入空気の温度（吸気温）を電気信号に変換してＥＣＵ６に出力する吸気温センサ８、およびエンジンの各気筒毎の燃焼室内に供給される吸入空気の圧力（吸気圧力）を電気信号に変換してＥＣＵ６に出力する複数の吸気圧センサ（各気筒毎の吸気圧センサ：以下第１〜第４吸気圧センサと呼ぶ）９が搭載されている。
【００１５】
ここで、エンジンは、吸入空気と燃料との混合気を燃焼室内で燃焼させて得られる熱エネルギーにより出力を発生する水冷式のガソリンエンジンで、吸気行程、圧縮行程、膨張（燃焼）行程、排気行程の４つの行程（ストローク）を周期（サイクル）として繰り返すオットーサイクルエンジンを含む４サイクルエンジンが採用されている。このエンジンは、例えば自動車等の車両のエンジンルームに搭載されている。そして、エンジンは、エンジンの各気筒毎の燃焼室内に吸入空気（吸気）を導入するための吸気管１１と、エンジンの各気筒毎の燃焼室より排気ガスを排出するための排気管１２とを備えている。
【００１６】
エンジンの吸気管１１は、エンジンの各気筒毎の燃焼室内に吸入空気（吸気）を供給するための吸気通路を形成するケーシング（インテークダクト）である。この吸気管１１は、エアクリーナケース、インテークパイプ、サージタンクおよびインテークマニホールド（吸気導入ダクト）１等を有している。
なお、インテークマニホールド１よりも吸気流方向の上流側の吸気管１１の内部には、吸気管１１の内部に外気を導入するための１つの外気導入通路（共通吸気通路）１３が形成されている。また、インテークマニホールド１の内部には、エンジンの各気筒毎の燃焼室に独立して接続された複数の吸気通路（各気筒毎の独立吸気通路：以下第１〜第４吸気通路と呼ぶ）１４が形成されている。すなわち、エンジンの吸気管１１は、１つの外気導入通路１３を流れる外気（吸入空気）が、複数の第１〜第４吸気通路１４に分岐するように構成されている。
【００１７】
また、エンジンの排気管１２は、エンジンの各気筒毎の燃焼室より流出する排気ガスを排気浄化装置を経由して外部に排出するための排気通路を形成するケーシング（エキゾーストダクト）である。この排気管１２は、エキゾーストマニホールド１７およびエキゾーストパイプ等を有している。
なお、エキゾーストマニホールド１７の内部には、エンジンの各気筒毎の燃焼室に独立して接続された複数の排気通路（各気筒毎の独立排気通路：以下第１〜第４排気通路と呼ぶ）１８が形成されている。また、エキゾーストマニホールド１７よりも吸気流方向の下流側の排気管１１の内部には、１つの排気通路（共通排気通路）１９が形成されている。すなわち、エンジンの排気管１２は、複数の第１〜第４排気通路１８毎を流れる排気ガスが、１つの排気通路１９に合流するように構成されている。
【００１８】
エンジン本体は、シリンダヘッド２およびシリンダブロック３等によって構成されている。
エンジンのシリンダヘッド２の一方側には、複数のインテークポート（各気筒毎の吸気ポート：以下第１〜第４吸気ポートと呼ぶ）２１が形成されている。これらの第１〜第４吸気ポート２１は、それぞれ対応したポペット型の吸気バルブ（インテークバルブ）２２によって開閉される。また、複数の第１〜第４吸気ポート２１の吸気流方向の上流端には、インテークマニホールド１の内部（複数の第１〜第４吸気通路１４）が気密的に接続されている。
【００１９】
そして、シリンダヘッド２の他方側には、複数のエキゾーストポート（各気筒毎の排気ポート：以下第１〜第４排気ポートと呼ぶ）２３が形成されている。これらの第１〜第４排気ポート２３は、それぞれ対応したポペット型の排気バルブ（エキゾーストバルブ）２４によって開閉される。また、複数の第１〜第４排気ポート２３の吸気流方向の下流端には、エキゾーストマニホールド１７の内部（複数の第１〜第４排気通路１８）が接続されている。
エンジンのシリンダブロック３の内部に形成される複数の第１〜第４シリンダボア内には、連接棒を介してクランクシャフトに連結されたピストン２５が、それぞれ図示上下方向に摺動自在に支持されている。また、シリンダヘッド２およびシリンダブロック３の内部には、例えば第１〜第４シリンダボアの周囲を取り囲むようにウォータジャケット２６が形成されている。
【００２０】
本実施例の内燃機関の吸気制御装置は、複数の第１〜第４スロットル４のバルブ角度（回転角度）に相当するスロットル開度に応じて、エンジンの各気筒毎の燃焼室内に吸い込まれる吸入空気の流量（吸入空気流量、吸気量）を制御するシステム（スロットル制御装置）である。これは、エンジンの各吸気ポート２１よりも吸気流方向の上流側に接続されるインテークマニホールド１に組み込まれている。
インテークマニホールド１は、エンジンの各気筒毎に設置される第１〜第４スロットル４の共通のケーシング（ハウジング）を構成するもので、内部に断面円形状（または断面方形状）のスロットルボア（複数の第１〜第４吸気通路１４）がそれぞれ形成された複数の円筒部（各気筒毎の円筒部または各気筒毎の角筒部：以下第１〜第４円筒部と呼ぶ）２７を有している。そして、インテークマニホールド１は、サージタンクに接続する１つの入口部に流入した吸入空気を、エンジンのシリンダヘッド２に設けられる気筒数分の吸気ポート２１に分配供給する吸気多岐管（独立吸気管）である。
【００２１】
複数の第１〜第４円筒部２７の内部には、エンジンの各気筒毎に独立して接続される複数のスロットルボア（第１〜第４吸気通路１４）が形成されている。これらの第１〜第４吸気通路１４は、エンジンのシリンダヘッド２に形成される各気筒毎の第１〜第４吸気ポート２１に互いに独立して接続されている。
また、複数の第１〜第４円筒部２７には、第１〜第４吸気通路１４を隔てて対向する２つのシャフト軸受け部がそれぞれ設けられている。これらのシャフト軸受け部の内部には、２つのシャフト収容孔がそれぞれ設けられている。また、これらのシャフト収容孔の内周には、２つの軸受け部材（ベアリング等）が嵌合保持されている。すなわち、複数の第１〜第４円筒部２７の各シャフト軸受け部は、２つの軸受け部材を介して、第１〜第４スロットル４のシャフトの回転軸方向の両端部（２つの摺動部）を回転方向に摺動自在に支持している。
【００２２】
本実施例の複数の第１〜第４スロットル４は、エンジンの各気筒毎に独立して接続される複数のスロットルボア（第１〜第４吸気通路１４）毎にそれぞれ開閉自在に設置されている。これらの第１〜第４スロットル４は、エンジンの各気筒毎に独立して開閉動作（回転動作）が可能な独立スロットルバルブを構成している。
複数の第１〜第４スロットル４は、インテークマニホールド１の内部（複数の第１〜第４吸気通路１４）に開閉自在に設置されて、インテークマニホールド１に対して相対回転する回転型の吸気制御バルブ、すなわち、シャフトの中心軸線周りを回転して複数の第１〜第４吸気通路１４を開閉する円板状のバタフライ型バルブ（吸入空気量制御弁の弁体）である。
【００２３】
複数の第１〜第４スロットル４は、エンジン運転時にＥＣＵ６からの制御信号（モータ印加電圧またはＰＷＭ信号のデューティ比等）に基づいて、全閉位置から全開位置に至るまでの作動可能範囲で回転動作（回転角度を変更）することで、スロットルボア（複数の第１〜第４吸気通路１４）の開口面積（吸入空気流通面積）を変更して吸入空気の流量を可変制御する。また、複数の第１〜第４スロットル４は、エンジン停止時に第１〜第４モータ５への電力の供給が停止されると、例えばリターンスプリング等の付勢力によって全閉位置（または全閉位置より僅かに開いた中間開度の状態（中間位置））に戻される。なお、エンジンのアイドル運転時に、第１〜第４スロットル４のバルブ開度（スロットル開度）が中間開度の状態（中間位置）となるようにしても良い。
【００２４】
複数の第１〜第４スロットル４は、各々の回転軸線方向に真っ直ぐに延びる複数のシャフト（吸気制御バルブの回転軸、各気筒毎のシャフト：以下第１〜第４シャフト）２９にそれぞれ一体的に結合されている。複数の第１〜第４シャフト２９は、複数の第１〜第４スロットル４にそれぞれ対応して設置される複数の第１〜第４モータ５の出力軸に動力伝達機構を介して駆動連結されている。これらの第１〜第４シャフト２９の回転軸方向の両端部には、インテークマニホールド１の複数の第１〜第４円筒部２７毎に設けられる各シャフト軸受け部に回転自在に軸支される２つの摺動部がそれぞれ設けられている。また、各気筒毎の第１〜第４シャフト２９の周囲には、第１〜第４スロットル４を閉弁作動方向に付勢するリターンスプリング等のバルブ付勢手段が取り付けられている。
【００２５】
ここで、各気筒毎の第１〜第４スロットル（バルブ）４を駆動するアクチュエータ（バルブ駆動装置）は、電力の供給を受けると駆動力を発生する複数の第１〜第４モータ５、およびこれらの第１〜第４モータ５のモータシャフト（出力軸）の回転運動を複数の第１〜第４シャフト２９にそれぞれ伝達するための複数の動力伝達機構（第１〜第４動力伝達機構）を含んで構成される複数の電動式アクチュエータである。
そして、各気筒毎の第１〜第４スロットル４と各気筒毎の第１〜第４モータ５との間に介装される各気筒毎の動力伝達機構は、第１〜第４モータ５の回転速度を所定の減速比となるように減速すると共に、第１〜第４モータ５の駆動力（モータトルク）を増大させる歯車減速機構によって構成されている。なお、各気筒毎の第１〜第４モータ５のモータシャフトを、各気筒毎の第１〜第４スロットル４の各第１〜第４シャフト２９に直結しても良い。
【００２６】
複数の第１〜第４モータ５は、ＥＣＵ６によって電子制御される各モータ駆動回路を介して、自動車等の車両に搭載されたバッテリにそれぞれ電気的に接続されている。これらの第１〜第４モータ５は、各々のモータシャフトに一体化されたロータ（アーマチャ）、このロータの外周側に対向配置れたステータ（フィールド）等によって構成されたブラシ付きの直流（ＤＣ）モータである。そして、第１〜第４モータ５のロータ（アーマチャ）は、コイルが巻装されたコアを有している。また、第１〜第４モータ５のステータ（フィールド）は、内周に複数の永久磁石（マグネット）を保持したモータヨークまたはモータフレームを有している。なお、ブラシ付きのＤＣモータの代わりに、ブラシレスＤＣモータや、誘導電動機または同期電動機等の交流（ＡＣ）モータを用いても良い。
ここで、複数の第１〜第４モータ５は、ＥＣＵ６によって駆動（通電制御）されるように構成されている。
【００２７】
本実施例の点火装置は、エンジンの各気筒毎の燃焼室内の混合気がピストン２５の上昇に伴い圧縮された時に点火し、混合気を燃焼させるシステムである。
この点火装置は、混合気に点火するための高電圧を発生させるイグニッションコイル、およびイグニッションコイルで発生した高電圧の電流により火花を飛ばして混合気に点火するスパークプラグ３１等によって構成されている。このスパークプラグ３１は、先端部がエンジンの各気筒毎の燃焼室内に露出するように、エンジンのシリンダヘッド２に取り付けられている。
【００２８】
本実施例の燃料噴射装置は、電動式のフューエルポンプにより燃料（例えばガソリン）を一定の圧力に加圧してフューエルフィルタを介して電磁式燃料噴射弁（インジェクタ）３２へ送り、最適な噴射タイミングで燃料を噴射できるようにしたシステムであって、エンジンの各気筒毎の吸気ポート２１内に燃料を噴射供給する。
この燃料噴射装置は、燃料タンクから汲み上げた燃料をエンジンの各気筒毎の吸気ポート２１内に最適な噴射タイミングで噴射するインジェクタ３２等によって構成されている。このインジェクタ３２は、エンジンのシリンダヘッド２に取り付けられている。
ここで、点火装置および燃料噴射装置は、ＥＣＵ６によって駆動（通電制御）されるように構成されている。
【００２９】
ここで、例えばロータのコイルに電力の供給を受けると、複数の第１〜第４スロットル４の第１〜第４シャフト２９を駆動する駆動力を発生する第１〜第４モータ５は、ＥＣＵ６によって通電制御（駆動）されるように構成されている。このＥＣＵ６には、制御処理や演算処理を行うＣＰＵ、制御プログラムまたは制御ロジックや各種データを保存する記憶装置（ＳＲＡＭ、ＤＲＡＭ等の揮発性メモリ、ＥＰＲＯＭ、ＥＥＰＲＯＭまたはフラッシュメモリ等の負揮発性メモリ）、入力回路（入力部）、出力回路（出力部）、電源回路、タイマー等の機能を含んで構成される周知の構造のマイクロコンピュータが設けられている。
【００３０】
そして、ＥＣＵ６は、図示しないイグニッションスイッチをオン（ＩＧ・ＯＮ）すると、メモリ内に格納された制御プログラムまたは制御ロジックに基づいて、内燃機関の吸気制御装置（複数の第１〜第４モータ５）、点火装置（イグニッションコイル、スパークプラグ３１等）および燃料噴射装置（電動フューエルポンプ、インジェクタ３２等）を電子制御する。なお、ＥＣＵ６は、イグニッションスイッチがオフ（ＩＧ・ＯＦＦ）されると、メモリ内に格納された制御プログラムまたは制御ロジックに基づく上記の吸気加熱制御、吸入空気流量制御、点火制御や燃料噴射制御等を含むエンジン制御が強制的に終了されるように構成されている。
【００３１】
また、ＥＣＵ６は、エアフローメータ７、吸気温センサ８、複数の第１〜第４吸気圧センサ９、アクセル開度センサ４１、クランク角度センサ４２および冷却水温センサ等の各種センサからのセンサ信号がＡ／Ｄ変換器によってＡ／Ｄ変換された後に、マイクロコンピュータに入力されるように構成されている。これらのエアフローメータ７、吸気温センサ８、複数の第１〜第４吸気圧センサ９、アクセル開度センサ４１、クランク角度センサ４２および冷却水温センサ等によって、エンジンの運転状態を検出する運転状態検出手段が構成される。
ここで、ＥＣＵ６は、アクセル開度センサ４１より出力されるアクセル開度信号に基づいて、複数の第１〜第４モータ５を電子制御している。また、ＥＣＵ６は、エアフローメータ７より出力される吸入空気量信号、あるいは複数の第１〜第４吸気圧センサ９より出力される各気筒の吸気ポート圧力信号に基づいて、インジェクタ３２を電子制御している。
【００３２】
エアフローメータ７は、エンジンの吸気管１１のサージタンクよりも吸気流方向の上流側における外気導入通路１３内に設置されて、エンジンの各気筒の燃焼室内に吸入される吸入空気量を検出する吸入空気量検出手段である。
吸気温センサ８は、エンジンの吸気管１１の外気導入通路１３内に設置されて、エンジンの各気筒の燃焼室内に吸入される吸気温を検出する吸気温度検出手段である。この吸気温センサ８は、吸気温の変化に対応して抵抗値が変化するサーミスタ等の温度検出素子を有している。
【００３３】
複数の第１〜第４吸気圧センサ９は、複数の第１〜第４スロットル４よりも吸気流方向の下流側における複数の第１〜第４吸気通路１４毎に独立して設置されている。これらの第１〜第４吸気圧センサ９は、インテークマニホールド１の各第１〜第４スロットル４よりも吸気流方向の下流側に接続された空気導入通路（センシングポート）より導入される吸気圧力（インテークマニホールド圧力）を電気信号に変換するピエゾ抵抗素子等の圧力検出手段、およびこの圧力検出手段より出力される電気信号を増幅する増幅回路等の圧力検出回路を有している。
そして、複数の第１〜第４吸気圧センサ９は、複数の第１〜第４スロットル４よりも吸気流方向の下流側における複数の第１〜第４吸気通路１４毎の吸気圧力（スロットル下流ポート圧力）を検出する吸気圧力検出手段として機能する。
【００３４】
アクセル開度センサ４１は、運転者（ドライバー）によるアクセル操作量（アクセルペダルの踏み込み量）を検出するアクセル開度検出手段として機能する。
クランク角度センサ４２は、エンジンのクランクシャフトの回転角度を電気信号に変換するクランク角度検出手段であって、エンジンのクランクシャフトに対応して回転するシグナルロータ（例えばクランクシャフトが１回転する間に１回転する回転体）と、このシグナルロータに多数形成された凸状歯と、これらの凸状歯の接近と離間によってエンジン回転位置信号（ＮＥパルス信号）を発生するピックアップコイルよりなる。
【００３５】
シグナルロータには、第１気筒＃１のピストン２５の位置（下死点位置または上死点位置）および第４気筒＃４のピストン２５の位置（下死点位置または上死点位置）を検出するための凸状歯（または欠歯）と、第３気筒＃３のピストン２５の位置（下死点位置または上死点位置）および第２気筒＃２のピストン２５の位置（下死点位置または上死点位置）を検出するための凸状歯（または欠歯）とが設けられている。
そして、これらの凸状歯（または欠歯）間（１８０°ＣＡ間）には、例えば１０°ＣＡ（クランク角度）毎に凸状歯が設けられている。したがって、本実施例では、エンジンの運転中に、ピックアップコイルから例えば１０°ＣＡ（クランク角度）毎にＮＥパルス信号が出力される。そして、ＥＣＵ６は、クランク角度センサ４２より出力されたＮＥパルス信号の間隔時間を計測することによってエンジン回転速度（エンジン回転数：ＮＥ）を検出するための回転速度検出手段として機能する。
【００３６】
［実施例１の作用］
次に、本実施例のエンジン制御システムの作用を図１ないし図３に基づいて簡単に説明する。
【００３７】
ＥＣＵ６は、イグニッションスイッチがオン（ＩＧ・ＯＮ）されると、複数の第１〜第４モータ５のロータのコイルに電力を供給すると共に、点火装置（イグニッションコイル、スパークプラグ３１等）および燃料噴射装置（電動フューエルポンプ、インジェクタ３２等）を駆動する。これにより、エンジンが運転される。
ここで、運転者がアクセルペダルを踏み込むと、アクセル開度センサ４１より出力されたアクセル開度信号がＥＣＵ６に入力される。
【００３８】
そして、ＥＣＵ６によって複数の第１〜第４スロットル４が、アクセル開度に対応した所定のスロットル開度（回転角度）となるように複数の第１〜第４モータ５毎の各ロータのコイルへの電力の供給が成されて、複数の第１〜第４モータ５のモータシャフトが回転する。これにより、複数の第１〜第４モータ５のモータシャフトに駆動連結された複数の第１〜第４シャフト２９が、リターンスプリングの付勢力に抗してアクセルペダルの踏み込み量（アクセル操作量）に対応した回転角度分だけ回転する。
したがって、複数の第１〜第４シャフト２９が回転するので、各第１〜第４シャフト２９に支持固定された複数の第１〜第４スロットル４が、全閉位置より全開位置側へ開く方向（開弁作動方向）に駆動される。
【００３９】
そして、エンジンの特定気筒（例えば第１気筒＃１）が、排気行程から、吸気バルブ２２が開弁し、ピストン２５が下降する吸気行程に移行すると、ピストン２５の下降に従って当該気筒（例えば第１気筒＃１）の燃焼室内の負圧（大気圧よりも低い圧力）が大きくなり、開弁している吸気ポート２１から混合気が吸い込まれる。このとき、吸気管１１の途中、つまりインテークマニホールド１の内部に形成されたスロットルボア（複数の第１〜第４吸気通路１４）が所定のバルブ角度だけ開かれるので、エンジン回転速度がアクセルペダルの踏み込み量（アクセル操作量）に対応した速度に変更される。
【００４０】
また、運転者がアクセルペダルより足を離すと、複数の第１〜第４モータ５への電力の供給が遮断（または電力が制限）されて、リターンスプリングの付勢力によって第１〜第４シャフト２９が初期位置（アイドル位置）まで戻される。これにより、複数の第１〜第４スロットル４がバルブ全閉位置に戻されるため、複数の第１〜第４スロットル４の半径方向の外周端面とインテークマニホールド１の第１〜第４円筒部２７の通路壁面（内周面）との間の隙間が、アイドル回転速度を維持することが可能な最小となる。
したがって、インテークマニホールド１の内部に形成されたスロットルボア（複数の第１〜第４吸気通路１４）を経てエンジンの各気筒毎の燃焼室内に吸入される吸入空気流量が最小となり、エンジン回転速度がアイドル回転速度となる。
【００４１】
また、ＥＣＵ６は、エアフローメータ７によって検出された吸入空気量とクランク角度センサ４２より出力されたＮＥパルス信号の間隔時間を計測することによって算出されたエンジン回転速度とから基本噴射時間を計算する。そして、この基本噴射時間に、吸気温センサ８およびアクセル開度センサ４１等の各種センサからのセンサ信号による補正量を加味して最終噴射時間（燃料噴射量）を決定する。また、ＥＣＵ６は、各気筒の吸気行程前に燃料噴射が終了するように燃料噴射時期（噴射タイミング）および燃料噴射量を最適化している。
【００４２】
［実施例１の制御方法］
次に、本実施例の各気筒間の吸入空気量のばらつき検出方法を図１ないし図４に基づいて簡単に説明する。ここで、図３は第１気筒（＃１）のポート圧力の変化を示したタイミングチャートで、図４はＥＣＵ６のマイクロコンピュータのメモリに格納された制御プログラムの処理手順を示したフローチャートである。
【００４３】
なお、図４の制御プログラムは、つまり各気筒間の吸入空気量のばらつきの検出は、イグニッションスイッチがＯＮされた後に、クランク角度センサ４２より出力されるクランク角度信号（ＮＥパルス信号）に同期して所定の制御タイミング毎（所定のクランク角度毎：例えば１０°ＣＡ毎）に繰り返し実行される。あるいは各気筒間の吸入空気量のばらつきの検出を、エンジンの運転継続時間（車両走行時間）に応じて所定の頻度で繰り返し実行しても良い。
【００４４】
図４の制御プログラム（制御ルーチン）が起動すると、ＥＣＵ６のマイクロコンピュータは、先ず、アクセル開度センサ４１およびクランク角度センサ４２等の各種センサのセンサ信号をサンプリングする（取り込む）。
そして、ＥＣＵ６は、アクセル開度センサ４１より出力されたアクセル開度（エンジン負荷）信号、およびクランク角度センサ４２より出力されたクランク角度信号（ＮＥパルス信号）を計測して算出されるエンジン回転速度に基づいて、各気筒毎の吸気バルブ２２の閉弁時期（吸気バルブ閉弁時期）を演算する。
【００４５】
次に、ＥＣＵ６は、ステップＳ１００にて、吸気行程が終了した気筒、つまり吸気バルブ２２が閉弁した直後の気筒＃＝ｉ（第１気筒＃１が＃＝１、第２気筒＃２が＃＝２、第３気筒＃３が＃＝３、第４気筒＃４が＃＝４を示す）を判別する（気筒判別手段）。
ここで、本実施例のエンジンの各気筒の吸気ポートへの燃料噴射順序、およびエンジンの各気筒の燃焼室における混合気への点火順序は、第１（＃１）気筒（＃＝１）→第３（＃３）気筒（＃＝３）→第４（＃４）気筒（＃＝４）→第２（＃２）気筒（＃＝２）の順である。
【００４６】
また、エンジンの各気筒の吸気ポートへの燃料噴射は、各気筒において吸気バルブ２２が開弁する直前までに終了するように噴射開始タイミング（噴射時期）および燃料噴射量が調整される。なお、吸気バルブ２２が開弁するまで燃料噴射を継続していても構わない。また、各気筒の燃焼室における混合気への点火時期は、各気筒の圧縮行程中または膨張行程中である。
【００４７】
次に、ＥＣＵ６は、吸気行程が終了した気筒、つまり吸気バルブ２２が閉弁した直後の気筒が、吸気行程以外の行程における所定のタイミング（例えば圧縮行程における所定のクランク角度：ＡＢＤＣ９０°ＣＡ）に到達したか否かを、クランク角度センサ４２より出力されたクランク角度信号（ＮＥパルス信号）に基づいて判定する。例えば第１気筒＃１のピストン２５の下死点（ＢＤＣ）位置を検出する凸状歯（または欠歯）より９個目の凸状歯を検出したか否かを判定する。第２〜第４気筒＃２〜＃４も同様である。
【００４８】
そして、ＥＣＵ６は、ステップＳ２１１にて、当該気筒が、吸気行程以外の行程における第一の所定のタイミング（＃ｉ気筒圧力測定開始タイミング、例えば圧縮行程における所定のクランク角度：ＡＢＤＣ９０°ＣＡ）に到達した時点または所定のタイミングを超えた時点で、当該気筒に独立して接続される第１吸気通路１４内の吸気圧力を検出する当該気筒の第１吸気圧センサ９より出力された当該気筒の吸気圧力信号をサンプリングする（取り込む）。
そして、ＥＣＵ６は、当該気筒の第１吸気圧センサ９より出力された当該気筒の吸気圧力信号に基づいて、当該気筒の吸気圧力：Ｐ１（吸気マニホールド圧力または吸気ポート圧力）を検出する（第一の吸気圧力検出手段）。この当該気筒の吸気ポート圧力をメモリにマップ化する等して格納しておく。第２〜第４気筒＃２〜＃４も同様である。
【００４９】
次に、ＥＣＵ６は、吸気行程が終了した気筒、つまり吸気バルブ２２が閉弁した直後の気筒が、吸気行程以外の行程における第二の所定のタイミング（＃ｉ気筒圧力測定終了タイミング、例えば圧縮行程における所定のクランク角度：ＡＢＤＣ１００°ＣＡ）に到達したか否かを、クランク角度センサ４２より出力されたクランク角度信号に基づいて判定する。例えば第１気筒＃１のピストン２５の下死点（ＢＤＣ）位置を検出する凸状歯（または欠歯）より１０個目の凸状歯を検出したか否かを判定する。第２〜第４気筒＃２〜＃４も同様である。
【００５０】
そして、ＥＣＵ６は、ステップＳ２１２にて、当該気筒が、吸気行程以外の行程における第二の所定のタイミング（例えば圧縮行程における所定のクランク角度：ＡＢＤＣ１００°ＣＡ）に到達した時点または所定のタイミングを超えた時点で、当該気筒に独立して接続される第１吸気通路１４内の吸気圧力を検出する当該気筒の第１吸気圧センサ９より出力された当該気筒の吸気圧力信号をサンプリングする（取り込む）。
そして、ＥＣＵ６は、当該気筒の第１吸気圧センサ９より出力された当該気筒の吸気圧力信号に基づいて、当該気筒の吸気圧力：Ｐ２（吸気マニホールド圧力または吸気ポート圧力）を検出する（第二の吸気圧力検出手段）。この当該気筒の吸気ポート圧力をメモリにマップ化する等して格納しておく。第２〜第４気筒＃２〜＃４も同様である。
【００５１】
次に、ＥＣＵ６は、ステップＳ２１３にて、両タイミングの圧力メモリ値の差（Ｐ１−Ｐ２）から当該気筒における吸気ポート圧力の変化率（ΔＰ：単位時間当たりの吸気ポート圧力の変化量）を検出（演算、算出）する（圧力変化率検出手段）。この当該気筒における吸気ポート圧力の変化率（ΔＰ）をメモリにマップ化する等して格納しておく。
以上の単位時間当たりの吸気ポート圧力の変化率（ΔＰ）の検出（演算、算出）を、エンジンの全気筒分だけ実施する（ステップＳ２２１〜Ｓ２２３、ステップＳ２３１〜Ｓ２３３、ステップＳ２４１〜Ｓ２４３）。ここで、ある１つの気筒の吸気ポート圧力の変化率（ΔＰ）を１個だけでなく複数個（２個〜３個以上）検出し、それらを平均化した値を、その気筒の吸気ポート圧力の変化率（ΔＰ）としても良い。
【００５２】
次に、ＥＣＵ６は、エンジンの全気筒分だけ、吸気ポート圧力の変化率（ΔＰ）を検出した段階で、各気筒の吸気行程以外の行程における所定のタイミング（例えば圧縮行程ＡＢＤＣ９０〜１００°ＣＡ間）で、各気筒毎の、単位時間当たりの吸気ポート圧力の変化率（ΔＰ）を比較する（変化率比較手段）。
【００５３】
そして、ＥＣＵ６は、ステップＳ３００にて、各気筒毎の、吸気ポート圧力の変化率（ΔＰ）の比較結果に基づいて（例えば、最大値と最小値との差）、各気筒間の吸入空気量のばらつきＸを検出（算出）する（各気筒間吸入空気量ばらつき検出手段）。この各気筒間の吸入空気量のばらつきＸをメモリにマップ化する等して格納しておく。
その後、ＥＣＵ６は、ステップＳ４００にて、各気筒毎の、吸気ポート圧力の変化率（ΔＰ）のばらつきＸと予め定めたばらつき限度値Ｙとを比較する（変化率比較手段）。
そして、Ｘ≧Ｙの場合には、ステップＳ５００にて、複数の第１〜第４スロットル４のスロットル開度を調整したり、あるいはウォーニングランプを点灯する。その後、図４の制御プログラムを終了する。
また、Ｘ＜Ｙの場合には、図４の制御プログラムを終了する。
【００５４】
また、ＥＣＵ６は、４サイクルエンジンの各気筒毎の第１〜第４スロットル４のスロットル開度が所定のスロットル開度以下の時、つまり吸気ポート圧力が全行程を通じて臨界圧以下となる条件（アイドル運転領域〜低負荷領域）の時に、各気筒毎の、吸気ポート圧力の変化率（ΔＰ）に基づいて、単位時間当たりの各気筒の１サイクル毎の吸入空気量を検出する（気筒毎吸入空気量検出手段）。
そして、ＥＣＵ６は、単位時間当たりの各気筒の１サイクル毎の吸入空気量に基づいて、エンジンの各気筒の１サイクル毎の吸入空気量（＝気筒別吸入空気流量）Ｖｃｙｃを求める。この気筒別吸入空気流量Ｖｃｙｃをメモリにマップ化する等して格納しておく。
【００５５】
したがって、アイドル運転領域〜低負荷領域の時には、気筒別吸入空気流量Ｖｃｙｃに基づいて燃料噴射制御や空燃比制御を実施することができる。
また、各気筒毎の、吸入空気流量Ｖｃｙｃの偏差に応じて、複数の第１〜第４スロットル４のスロットル開度を調整することができる。あるいは各気筒毎の、吸入空気流量Ｖｃｙｃの偏差が所定値以上の場合に、ウォーニングランプを点灯することができる。
【００５６】
［実施例１の特徴］
エンジンの各気筒毎（複数の第１〜第４吸気通路１４毎）にそれぞれ設置された複数の第１〜第４スロットル４（所謂独立スロットルバルブ）を備えたエンジンの場合には、複数の第１〜第４スロットル４よりも吸気流方向の下流側における複数の第１〜第４吸気通路１４内の吸気圧力（吸気ポート圧力）が、スピードデンシティ方式のようにサージタンクに設置された吸気圧力センサによって検出される吸気管内空気の圧力（スロットル下流圧力）の挙動と異なり、当該気筒（例えば第１気筒＃１）の行程に従って大きく変動する（図３のタイミングチャート参照）。
ここで、図３中のＴＤＣとは、当該気筒のピストン２５の上死点を示し、図３中のＢＤＣとは、当該気筒のピストン２５の下死点を示す。
【００５７】
これは、当該気筒（例えば第１気筒＃１）が、排気行程から、吸気バルブ２２が開弁し、ピストン２５が下降する吸気行程に移行すると、ピストン２５の下降に従って当該気筒の燃焼室内の負圧が大きくなり、開弁している吸気ポート２１から混合気が吸い込まれる。このとき、当該気筒の燃焼室内への混合気（吸入空気と燃料との混合気）の吸い込みにより吸気ポート圧力（Ｐ）が急激に低下し、その後吸気バルブ２２が閉弁し、吸気行程以外の行程（圧縮行程、膨張行程、排気行程）中、つまり吸気バルブ閉弁期間中は、吸気ポート圧力（Ｐ）が、スロットル通過空気により大気圧に向けて例えば所定の勾配（圧力変化率：ΔＰ）で徐々に上昇する。
【００５８】
この吸気行程以外の行程における所定のタイミング（例えば圧縮行程における所定のクランク角度期間または所定の吸気バルブ閉弁期間：ＡＢＤＣ９０〜１００°ＣＡ間）での吸気ポート圧力の微少時間（ΔＴ）の上昇量（圧力変化率：ΔＰ）は、微少時間（ΔＴ）のスロットル通過空気量（空気量変化率：ΔＶ）によるものであり、ΔＶ∝ΔＰとなる。したがって、微少時間（ΔＴ）のスロットル通過空気量（空気量変化率：ΔＶ）は、微少時間（ΔＴ）の上昇量（圧力変化率：ΔＰ）と予め実験等により測定して作成された演算式（下記の数１の式）で表される。
【００５９】
［数１］
ΔＶ＝Ｃ１×ΔＰ
ここで、Ｃ１は、微少時間（単位時間当たり）の吸気ポート圧力の変化率を、微少時間（単位時間当たり）のスロットル通過空気量に交換する交換係数である。また、微少時間（ΔＴ：秒）とは、一例として、（６０秒／エンジン回転速度ｒｐｍ）×（１０°ＣＡ／３６０°ＣＡ）のことである。
【００６０】
よって、各気筒毎の、単位時間（所定のクランク角度期間または所定の吸気バルブ閉弁期間）当たりの吸気ポート圧力の変化率ΔＰを各気筒の吸気行程以外の行程における所定のタイミング（対応サイクルタイミング：例えば高負荷時の圧縮行程における所定のクランク角度期間または所定の吸気バルブ閉弁期間：ＡＢＤＣ９０〜１００°ＣＡ間（ΔＰ１））で比較することで、気筒間の吸入空気量ばらつきを検出することができる。
【００６１】
特に、気筒間の吸入空気量ばらつきが問題となるアイドル運転領域〜低負荷領域においては、スロットル開度が小さいため吸気行程以外でもポート負圧が大きく、スロットルボアと第１〜第４スロットル４との間の隙間を通過する吸入空気の速度が音速に達する。
この音速に達する圧力（臨界圧）以下の範囲においては流速が常に一定（＝音速）であり、単位時間当たりの、各気筒毎のスロットル下流の吸気ポート圧力の変化率（ΔＰ）が吸気行程以外で一定であるため（ΔＰ２＝ΔＰ３）、容易に正確な気筒間の吸入空気量ばらつき量を検出することができる。ここで、ΔＰ２は、低負荷時の圧縮行程における所定のクランク角度期間または所定の吸気バルブ閉弁期間の吸気ポート圧力の変化率である。また、ΔＰ３は、低負荷時の膨張行程における所定のクランク角度期間または所定の吸気バルブ閉弁期間の吸気ポート圧力の変化率である。
したがって、４サイクルエンジンの各気筒間の吸入空気量のばらつきを、単位時間当たりの、各気筒毎のスロットル下流の吸気ポート圧力の変化率（ΔＰ）に基づいて検出することで、４サイクルエンジンの各気筒間の吸入空気量自体のばらつきを正確に精度良く検知（検出）することができる。
【００６２】
また、さらに全行程において、吸気ポート圧力が臨界圧以下となる条件（アイドル運転領域〜低負荷領域）においては、全行程の流速が一定であるため、吸気行程以外の行程における所定のタイミング（例えば圧縮行程または膨張行程または排気行程における所定のクランク角度期間または所定の吸気バルブ閉弁期間）で検出した、単位時間当たりの、各気筒毎のスロットル下流の吸気ポート圧力の変化率（ΔＰ）と、予め実験等により測定して作成された演算式（下記の数２の式）とから、４サイクルエンジンの各気筒の１サイクル毎の吸入空気量Ｖｃｙｃが算出可能である。
［数２］
Ｖｃｙｃ＝Ｃ２×ΔＰ×Ｔ
ここで、Ｃ２は、ΔＰ（微少時間（単位時間当たり）の吸気ポート圧力の変化率）×Ｔ（時間）を、エンジンの各気筒の１サイクル毎の吸入空気量に交換する交換係数である。また、Ｔは、各気筒の１サイクルに必要な時間である。
【００６３】
これらの技術を集合部（１つの外気導入通路１３）内に設置されたエアフローメータ７によって計測される吸入空気量に基づくエンジン制御（燃料噴射制御等）と併用するエンジン制御システムにおいて、アクセル開度およびスロットル開度が比較的に大きい高負荷（大流量）領域の場合には、エンジンの全気筒に吸入される総吸入空気流量を、エアフローメータ７、エンジンの各気筒間の吸入空気量のばらつきを、エンジンの各気筒毎の、単位時間当たりの吸気ポート圧力の変化率ΔＰで求め、アクセル開度およびスロットル開度が比較的に小さい低負荷（小流量）領域の場合には、ΔＰからエンジンの各気筒の１サイクル毎の吸入空気量（＝気筒別吸入空気流量）Ｖｃｙｃを求めることで、エアフローメータ７の小流量領域における計測の要求性能を緩和することができる。
【００６４】
［変形例］
本実施例では、多気筒内燃機関の制御装置を、内燃機関の各気筒毎の燃焼室内に吸入される吸入空気量を制御する内燃機関の吸気量制御装置（吸気通路開閉装置）に適用しているが、多気筒内燃機関の制御装置を、内燃機関の燃焼室内に吸気渦流を発生させる吸気流制御バルブを備えた吸気渦流発生装置や、吸気通路の通路長や通路断面積を変更する吸気可変バルブを備えた内燃機関の可変吸気制御装置に適用しても良い。
【００６５】
本実施例では、複数の第１〜第４スロットル４を駆動するバルブ駆動装置（アクチュエータ）を、第１〜第４モータ５および動力伝達機構を備えた電動式アクチュエータによって構成したが、複数の吸気制御バルブを駆動するアクチュエータを、電磁式または電動式負圧制御弁を備えた負圧作動式アクチュエータや、コイル等の電磁石およびムービングコア（またはアーマチャ）を備えた電磁式アクチュエータによって構成しても良い。
なお、吸気制御バルブを閉弁作動方向または開弁作動方向に付勢するリターンスプリング等のバルブ付勢手段を設置しなくても良い。
また、１つのバルブ駆動装置（アクチュエータ）で、複数の吸気制御バルブを駆動するようにしても良い。この場合には、複数の吸気制御バルブが、１本のシャフトに串刺し状態となるように結合される。
【００６６】
また、複数の吸気制御バルブとして、第１〜第４スロットル（バルブ）４の代わりに、ハウジング内部に形成される複数の吸気通路毎に設置された複数のアイドル回転速度制御バルブを用いても良い。また、複数の吸気制御バルブとして、吸気流量制御バルブの代わりに、吸気流制御バルブ、吸気通路開閉バルブ、吸気通路切替バルブを用いても良い。また、エンジンとして、ディーゼルエンジンを用いても良い。
ＥＣＵ６に、複数の第１〜第４スロットル４のバルブ角度に相当するスロットル開度を検出するスロットル開度センサ（スロットル開度検出手段）が接続されていても良い。
【００６７】
また、吸気温センサ８より出力される吸気温度、複数の第１〜第４吸気圧センサ９より出力される各気筒の吸気通路毎（＝各気筒毎）の吸気圧力（インテークマニホールド圧力または吸気ポート圧力）、計測されるエンジン回転速度に基づいて、エンジンの各気筒毎の燃焼室内に吸入される吸入空気量を検出し、この検出された吸入空気量に基づいて、空燃比制御または燃料噴射制御を実施しても良い。
また、複数の第１〜第４スロットル４等の吸気制御バルブを各気筒毎に独立して接続される吸気ポート毎に設置した場合、複数の吸気圧力センサは、吸気制御バルブよりも吸気流方向の下流側の吸気ポート内の吸気圧力（吸気ポート圧力）を検出する。
【００６８】
本実施例では、各気筒の吸気行程以外の行程における所定のタイミングとして、圧縮行程における所定のクランク角度期間または所定の吸気バルブ閉弁期間：ＡＢＤＣ９０〜１００°ＣＡ間）を採用しているが、各気筒の吸気行程以外の行程における所定のタイミングとして、膨張行程または排気行程における所定のクランク角度期間または所定の吸気バルブ閉弁期間を採用しても良い。例えばＡＴＤＣ９０〜１００°ＣＡ間またはＡＢＤＣ９０〜１００°ＣＡ間等である。
また、圧縮行程または膨張行程または排気行程における他の所定のクランク角度期間または所定の吸気バルブ閉弁期間を採用しても良い。例えばＡＴＤＣ７０〜１１０°ＣＡ間またはＡＢＤＣ７０〜１１０°ＣＡ間等である。
【図面の簡単な説明】
【００６９】
【図１】内燃機関の吸気制御装置を示した概略図である（実施例１）。
【図２】エンジン制御システムを示した概略図である（実施例１）。
【図３】第１気筒（＃１）のポート圧力の変化を示したタイミングチャートである（実施例１）。
【図４】制御プログラムの処理手順を示したフローチャートである（実施例１）。
【符号の説明】
【００７０】
１  インテークマニホールド
２  シリンダヘッド
３  シリンダブロック
４  第１〜第４スロットル（吸気制御バルブ、吸気流量制御バルブ、スロットルバルブ）
５  第１〜第４モータ
６  ＥＣＵ
７  エアフローメータ
９  第１〜第４吸気圧センサ（吸気圧センサ）
１４  第１〜第４吸気通路
【図１】
2008231918.tif 000003
【図２】
2008231918.tif 000004
【図３】
2008231918.tif 000005
【図４】
2008231918.tif 000006